(57)【要約】【課題】構造が複雑にならずしかも組み立て容易な電球用ソケットおよび照明器具を提供する。【解決手段】中心接触片８および電線接続端子１０を一体に形成した第１の導電部材１２と、側面接触片７および電線接続端子９を一体に形成した第２の導電部材１１と、先端にランプ挿入口２を有し後端側の側面に電線挿入口４、５を有して第１の導電部材１２および第２の導電部材１１をランプ挿入口２から装着させる筒状のボディ１とを備え、ボディ１は、電線接続端子９、１０を電線挿入口４、５に整合した状態に中心接触片８および側面接触片７を位置決めする位置決め部３２を底部に有し、さらにボディ１に係止部３５を形成し、第１の導電部材１２および第２の導電部材１１に係止部３５に係止する抜止め用の切起こし片３６を形成している。【選択図】  図１
2004253322.tif 000002
【特許請求の範囲】
【請求項１】
中心接触片および電線接続端子を一体に形成した第１の導電部材と、側面接触片および電線接続端子を一体に形成した第２の導電部材と、先端にランプ挿入口を有し後端側の側面に電線挿入口を有して前記第１の導電部材および前記第２の導電部材を前記ランプ挿入口から装着させる筒状のボディとを備え、前記ボディは、前記電線接続端子を前記電線挿入口に整合した状態に前記中心接触片および側面接触片を位置決めする位置決め部を底部に有し、さらに前記ボディと前記第１の導電部材および前記第２の導電部材との間にこれらを抜止めする抜止め部を構成したことを特徴とする電球用ソケット。
【請求項２】
前記電線接続端子は電線接続部、電線挿入穴部、ばね支持部および鎖錠ばね部を連続するように一体に形成した速結端子であり、
前記電線挿入口は前記ボディの両側に互いに反対向きに配置され、
前記ボディの底部には導電部材間を仕切る絶縁壁が形成され、前記絶縁壁は一対の略５の字の上端を共通にして対称をなすように連続した形状であり、両端に位置する略５の字のわん曲部分をそれぞれ第１壁および第３壁とし、直線部をそれぞれ第２壁および第４壁とし、共通の前記上端部を第５壁とし、前記第１壁および第３壁が前記速結端子の前記鎖錠ばね部に隣接し、さらに前記第２壁および前記第４壁が電線挿入方向に延出し、前記第２壁、前記第４壁および前記第５壁が前記中心接触片の受け部を兼ねる請求項１記載の電球用ソケット。
【請求項３】
前記第２壁および前記第４壁の離間距離を大きくした請求項２記載の電球用ソケット。
【請求項４】
前記第２壁、前記第４壁が前記第５壁を間にして互いに平行に形成されている請求項２の電球用ソケット。
【請求項５】
前記ボディは後端部の一側部に取付部を有し、前記取付部側に前記側面接触片、その反対側に前記中心接触片を配置している請求項１記載の電球用ソケット。
【請求項６】
前記ボディは略円筒形であり、前記取付部に面する部分とその内側の前記側面接触片に面する部分を互いに平行平面になるように形成した請求項５記載の電球用ソケット。
【請求項７】
前記第１の導電部材は前記抜止め用の切起し片を有し、前記ボディの内側面に前記切起こし片を案内するガイド溝を形成している請求項１または請求項５記載の電球用ソケット。
【請求項８】
前記取付部、前記側面接触片、前記中心接触片をこの順番に略一列に配置すると共に、前記ボディの底部の前記中心接触片に近い位置に外方に向かって突出した回り止め用突起を配置した請求項５の電球用ソケット。
【請求項９】
前記速結端子は前記電線接続部から前記鎖錠ばね部付近まで延出する折曲げ部を設けた請求項２記載の電球用ソケット。
【請求項１０】
前記鎖錠ばね部が前記絶縁壁の長手方向に平行な前記ボディの中心線側に配置され、かつ前記折曲げ部が前記ボディの内壁面側から前記中心線側に延出するように形成されている請求項９記載の電球用ソケット。
【請求項１１】
請求項１、請求項２、請求項３、請求項４、請求項５、請求項６、請求項７、請求項８、請求項９または請求項１０記載の電球用ソケットを備えた照明器具。
【発明の詳細な説明】
【０００１】
【発明の属する技術分野】
この発明は、電球を装着する電球用ソケットおよび照明器具に関するものである。
【０００２】
【従来の技術】
従来、中心接触片と接続端子部を一体に形成した導電金具を、ボディの裏面開口から装着し、裏面開口を蓋で閉じるようにしたものがあった（参考文献１参照）。
【０００３】
またボディのランプ挿入口から導電金具の位置合わせをした後、導電金具を治具で押し込み、切起こし等の抜止め片にて係止させるねじ込みソケットがあった（特許文献２参照）。
【０００４】
さらに受金の形態が部分受金で電球の口金の周側の一端面を側方から押しつけるように接触するものがあった（特許文献３参照）。
【０００５】
【特許文献１】
特開平９−３２０３２４号
【特許文献２】
特開２００１−１８５３１２号
【特許文献３】
実用新案登録２６０３５８１号
【０００６】
【発明が解決しようとする課題】
しかしながら、特許文献１は、導電金具をボディの裏側から装着するため、ボディ構造が複雑になるとともに組み立て容易でなかった。  特許文献２は、治具を用いて導電金具をソケット内部に押し込みむが、その当接部位を独立して設けているため、導電金具の構造が複雑であった。また導電金具を挿通するとき溝等のガイドがないため、通電金具の装着が容易でない。
【０００７】
特許文献３は、電球がソケットの筒体軸からずれてしまうことがあった。またソケット取付部が２箇所以上あっても、一方のみ締結させたとき、締結力が強すぎると取付部および取付板の変形やゆがみのためソケット底面が浮くことがあり、必然的に電球軸は取付板の鉛直軸からずれてしまう。
【０００８】
したがって、この発明の目的は、構造が複雑にならずしかも組み立て容易な電球用ソケットおよび照明器具を提供することである。
【０００９】
【課題を解決するための手段】
請求項１記載の電球用ソケットは、中心接触片および電線接続端子を一体に形成した第１の導電部材と、側面接触片および電線接続端子を一体に形成した第２の導電部材と、先端にランプ挿入口を有し後端側の側面に電線挿入口を有して前記第１の導電部材および前記第２の導電部材を前記ランプ挿入口から装着させる筒状のボディとを備え、前記ボディは、前記電線接続端子を前記電線挿入口に整合した状態に前記中心接触片および側面接触片を位置決めする位置決め部を底部に有し、さらに前記ボディと前記第１の導電部材および前記第２の導電部材との間にこれらを抜止めする抜止め部を構成したことを特徴とするものである。
【００１０】
請求項１記載の電球用ソケットによれば、導電部材をボディに装入することにより位置決め部に位置決めされ抜止めされるので、従来に比べて構造が複雑になることなく組み立て容易になる。
【００１１】
請求項２記載の電球用ソケットは、請求項１において、前記電線接続端子は電線接続部、電線挿入穴部、ばね支持部および鎖錠ばね部を連続するように一体に形成した速結端子であり、
前記電線挿入口は前記ボディの両側に互いに反対向きに配置され、
前記ボディの底部には導電部材間を仕切る絶縁壁が形成され、前記絶縁壁は一対の略５の字の上端を共通にして対称をなすように連続した形状であり、両端に位置する略５の字のわん曲部分をそれぞれ第１壁および第３壁とし、直線部をそれぞれ第２壁および第４壁とし、共通の前記上端部を第５壁とし、前記第１壁および第３壁が前記速結端子の前記鎖錠ばね部に隣接し、さらに前記第２壁および前記第４壁が電線挿入方向に延出し、前記第２壁、前記第４壁および前記第５壁が前記中心接触片の受け部を兼ねるものである。
【００１２】
請求項２記載の電球用ソケットによれば、請求項１と同様な効果のほか、挿入した電線の芯線は絶縁壁に突き当たることがなく、また電球を装着したとき中心接触片の受け部の機能を安定にする。
【００１３】
請求項３記載の電球用ソケットは、請求項２において、前記第２壁と前記第４壁の離間距離を大きくしたものである。
【００１４】
請求項３記載の電球用ソケットによれば、請求項２と同様な効果のほか、第２壁および第４壁を鎖錠ばね部の結線時のストッパとすることができるので、鎖錠ばね部の頑強な強度を保持できる。
【００１５】
請求項４記載の電球用ソケットは、請求項２において、前記第２壁、前記第４壁が前記第５壁を間にして互いに平行に形成されているものである。
【００１６】
請求項４記載の電球用ソケットによれば、請求項２と同様な効果のほか、第２壁、第４壁が第５壁に向かって互いに平行方向に形成されているので、中心接触片が傾いて可動した際にも十分な面積が確保できるので受け部として中心接触片を確実に受け止めることが出来る。
【００１７】
請求項５記載の電球用ソケットは、請求項１において、前記ボディが後端部の一側部に取付部を有し、前記取付部側に前記側面接触片、その反対側に前記中心接触片を配置しているものである。
【００１８】
請求項５記載の電球用ソケットによれば、請求項１と同様な効果がある。
【００１９】
請求項６記載の電球用ソケットは、請求項５において、前記ボディは略円筒形であり、前記取付部に面する部分とその内側の前記側面接触片に面する部分を互いに平行平面になるように形成したものである。
【００２０】
請求項６記載の電球用ソケットによれば、請求項５と同様な効果のほか、ボディの円筒形側壁のうち取付部に面する部分とその裏側にあたる側面接触片に面する部分を互いに平行になるように形成したことにより、側面接触片を安定して受けることが出来る。しかも成形収縮時の寸法安定性が良い。
【００２１】
請求項７記載の電球用ソケットは、請求項１または請求項５において、前記第１の導電部材は前記抜止め用の切起し片を有し、前記ボディの内側面に前記切起こし片を案内するガイド溝を形成しているものである。
【００２２】
請求項７記載の電球用ソケットによれば、請求項５と同様な効果のほか、前記中心接触片には組立後の抜け止めとなる切起し片を形成し、ボディの略円筒形側壁のうち中心接触片に面する部分には例えばランプ挿入口から底部に向かって中心接触片の収納部付近まで延出した、切起し片よりも幅広のガイド溝を形成し、切起し片をガイド溝を通して組立することより、端子挿入時の位置決めが容易に行なえ、長い距離を挿入する際には過変形の防止ができる。
【００２３】
請求項８記載の電球用ソケットは、請求項５において、前記取付部、前記側面接触片、前記中心接触片をこの順番に略一列に配置すると共に、前記ボディの底部の前記中心接触片に近い位置に外方に向かって突出した回り止め用突起を配置したものである。
【００２４】
請求項８記載の電球用ソケットによれば、請求項５と同様な効果のほか、取付部、側面接触片、中心接触片をこの順番に略一列に配置すると共に、ボディの底部の中心接触片に近い位置に外方に向かって突出した回り止め用突起を配置したことにより、側面接触片の反発力により傾いた電球を強制的に手で真っ直ぐに修正しようとして押し付けた時、その力は取付部で受けるので強固な固定状態が維持できる。
【００２５】
請求項９記載の電球用ソケットは、請求項２において、前記速結端子が前記電線接続部から前記鎖錠ばね部付近まで延出する折曲げ部を設けたものである。
【００２６】
請求項９記載の電球用ソケットによれば、請求項２と同様な効果のほか、速結端子の電線接続部の受口面側に連接し、鎖錠ばね部付近まで延出した折り曲げ部を設けたので夫々の端子を組込む場合、折曲げ部が押し込み治具の当接部位となり、治具化が容易にできる。
【００２７】
請求項１０記載の電球用ソケットは、請求項９において、前記鎖錠ばね部が前記絶縁壁の長手方向に平行な前記ボディの中心線側に配置され、かつ前記折曲げ部が前記ボディの内壁面側から前記中心線側に延出するように形成されているものである。
【００２８】
請求項１０記載の電球用ソケットによれば、請求項９と同様な効果のほか、鎖錠ばね部が略円筒ボディの中心線側に配置され、折り曲げ部が略円筒部壁面側から中心線側に延出するように形成したので端子収納部がコンパクトに仕上がる。
【００２９】
請求項１１記載の照明器具は、請求項１、請求項２、請求項３、請求項４、請求項５、請求項６、請求項７、請求項８、請求項９または請求項１０記載の電球用ソケットを備えたものである。
【００３０】
請求項１１記載の照明器具によれば、請求項１、請求項２、請求項３、請求項４、請求項５、請求項６、請求項７、請求項８、請求項９または請求項１０と同様な効果がある。
【００３１】
【発明の実施の形態】
この発明の第１の実施の形態の図１から図８に基づいて説明する。すなわち、照明器具に用いる電球用ソケットは、ねじ込み式ソケットである。ボディ１は略円筒形で、内周面に雌ねじ部５０を形成している。先端のランプ挿入口２と反対側の後端の一側部にボディ取付部３を１つ設け、取付部３およびボディ１の中心を結ぶ線Ｃと直交する方向に異極の電線２５を挿入する電線挿入口４、５を互いに反対向きにボディ１から突出して形成している。これらの電線挿入口４、５は前記線Ｃに直交する方向でボディ１の中心を含む中心線Ｂ（図２）に対して互いに反対側にずれて配置されている。またボディ１の後端面の取付部３と反対側寄りに回り止め用突起２７を設けている。
【００３２】
ボディ１の内底部には、導電部材１１、１２に対する絶縁壁１７が形成されている（図６）。絶縁壁１７は図示のように一対の略５の字の上端部を共通にして対称をなすように連続した形状であり、長手方向が中心線Ｂに略平行である。両端に位置する略５の字のわん曲部分をそれぞれ第１壁１８および第３壁２１とし、直線部をそれぞれ第２壁１９および第４壁２２とし、共通の上端部を第５壁２３として、小壁を連続して形成している。第１壁１８、２１は後述の鎖錠ばね部１６に隣接している（図２）。第２壁１９および第４壁２２は第１壁１８および第３壁２１の後述の電線接続部１３側の端部から電線挿入方向に沿って延出している。第５壁２３は、第２壁１９および第４壁２２に連なり中心線Ｂに交差して形成されている。第２壁１９および第４壁２２は第５壁２３に対して互いに平行方向に形成されている。そして第２壁１９および第４壁２２の一部ならびに第５壁２３が中心接触片８の受け部３１を兼ねる（図３）。またボディ１の内底部に導電部材の位置決め部３２を形成しており、絶縁壁１７はその一部を兼ねる。さらにボディ１の内側面の中心線Ｂの交差位置に軸方向に沿ってガイド溝３４をそれぞれランプ挿入口２から所定深さすなわち後述の中心接触片８の収納部付近まで形成し、その内端部に係止部３５を形成している。なお、ボディ１の取付部３に面する部分に、外周面を削って平面部４１を形設すると、削った分取付部３をソケット中心側に寄せることができる。５２は電線挿入口４、５の電線解錠用穴、５６は取付部３のかしめ片挿通用スリット、５７は取付部３のねじ挿通穴、５８はスリット５６の周壁でありその内側にねじ頭部または六角ナットの収納部を形成する。５９は周壁５８に形成した溝でありかしめ片の先端が進入可能としている。
【００３３】
受金は部分受金として、側面接触片７および中心接触片８をそれぞれ電線接続端子９、１０と一体に形成した２つの導電部材１１、１２からなり、ランプ挿入口２側から挿入して位置決め部３２に位置決めされ、かつ抜け止め固定されている。この場合、側面接触片７および中心接触片８は、絶縁壁１７の長手方向に相対向するように位置決め部３２により位置決め配置される。電線接続端子９、１０は図７に示すように例えば電線接続部１３、電線挿入穴部１４、ばね支持部１５および鎖錠ばね部１６を連続するように一体に形成した速結端子としている。また速結端子の電線接続部１３の受口面側に連接し、鎖錠ばね部１６の付近まで延出した折り曲げ部３３を設けている。この場合、鎖錠ばね部１６がボディ１の中心線Ｂ側に配置され、かつ折り曲げ部３３がボディ１の略円筒部壁面側から中心線Ｂ側に延出するように形成されている。また導電部材１１、１２は、中心接触片８の近傍の背中側および側面接触片７の近傍の裏面側にそれぞれ後述の抜止めとなる、ガイド溝３４より幅狭の切起し片３６を形成している。さらに電線接続端子９は速結端子の分岐端子３９を縦に並べて一体に形成している。
【００３４】
導電部材１１、１２をボディ１内に装着するときは、電線接続端子９、１０よりランプ挿入口２内に入れ、切起こし片３６をガイド溝３４にガイドさせながら挿入してゆき、係止部３５を乗り越えて係止部３５の下面に切起こし片３６を抜止め係止する。このとき電線接続端子９、１０がボディ１の位置決め部３２に位置決めされる。位置決め部３２による位置決めは、電線接続部１３および電線挿入穴部１４がボディ１の位置決め部３２の内壁に当接し、ばね支持部１５が絶縁壁１７の第１壁１８および第３壁２１のわん曲部分の内面に支持されることによってなされる。これにより電線挿入穴部１４が電線挿入口４、５に整合し、組み立てが完了する。またボディ１の取付けは回り止め用突起２７が嵌合する孔を有する取付板３８に載せ、取付部３に取付ねじ等を通して取付板３８に取付ける。図３は取付け状態の概略断面図であり、図８は電線２５を接続したときの速結端子の結線状態である。
【００３５】
この発明の第２の実施の形態を図９により説明する。第１の実施の形態において、第２壁１９および第４壁２２の離間距離を大きくしている。この場合、第２壁１９および第４壁２２はその第５壁２３側が電線接続部１３に接近するように傾斜している。この結果、第２壁１９および第４壁２２が鎖錠ばね部１６に接近し、鎖錠ばね部１６の過変形防止となる。
【００３６】
この発明の第３の実施の形態を図１０から図１３により説明する。第１の実施の形態において、ボディ１と取付部３を結ぶ線Ｃの方向に絶縁壁１７の長手方向を配置し、ボディ１の内壁面の絶縁壁１７の両端部上にガイド溝３４を形成し、かつ絶縁壁１７の長手方向に側面接触片７と中心接触片８が対向するように位置決め部３２および電線挿入口４、５が形成されている。この場合、ボディ１の取付部３側に側面接触片７、その反対側に中心接触片８を配置している。このように取付部３、側面接触片７、中心接触片８をこの順番に略一列に配置すると共に、ボディ１の底部の中心接触片８に近い位置に外方に向かって突出した回り止め用突起２７を配置している。  またボディ１の略円筒形側壁のうち、取付部３に面する部分と、その裏側にあたる側面接触片７に面する部分に互いに平行になるように平面部４１、４２を形成している。
【００３７】
図１１は、電球４５をランプソケットのボディ１にねじ込んだ状態を示している。この場合、口金４６の側面を側面接触片７が押すので、電球４５が垂直姿勢から角度θ１傾く。このとき、ねじ込まれた電球４５は遊びがあるので手で押し込んでやると傾きを矯正することができる。
【００３８】
図１２はランプソケットを取付板３８に取付けた状態である。この場合、取付部３が１箇所のためねじ５１を強締めするとソケット底部が取付板３８から角度θ１と反対向きに角度θ２浮き上がる。このためソケット自体が傾くのでランプソケットと電球４５との間に前記のような傾きが生じていなくても取付板３８に対して電球４５は傾く。
【００３９】
図１３（ａ）はランプソケットのボディ１も電球４５も傾いていない状態、（ｂ）は取付板３８に対してランプソケットが傾き、ランプソケットに対して電球４５が傾いた状態を示している。この場合、取付板３８とランプソケットの傾きθ２とランプソケットと電球４５の傾きθ１は互いの傾きを打ち消し合い、電球４５は取付板３８に対して傾かない状態となる。
【００４０】
なお、この発明において、抜け止め部はボディ１側に係止爪を設け導電部材に係止部を形成してもよい。
【００４１】
【発明の効果】
請求項１記載の電球用ソケットによれば、導電部材をボディに装入することにより位置決め部に位置決めされ抜止めされるので、従来に比べて構造が複雑になることなく組み立て容易になる。
【００４２】
請求項２記載の電球用ソケットによれば、請求項１と同様な効果のほか、挿入した電線の芯線は絶縁壁に突き当たることがなく、また電球を装着したとき中心接触片の受け部の機能を安定にする。
【００４３】
請求項３記載の電球用ソケットによれば、請求項２と同様な効果のほか、第２壁および第４壁を鎖錠ばね部の結線時のストッパとすることができるので、鎖錠ばね部の頑強な強度を保持できる。
【００４４】
請求項４記載の電球用ソケットによれば、請求項２と同様な効果のほか、第２壁、第４壁が第５壁に向かって互いに平行方向に形成されているので、中心接触片が傾いて可動した際にも十分な面積が確保できるので受け部として中心接触片を確実に受け止めることが出来る。
【００４５】
請求項５記載の電球用ソケットによれば、請求項１と同様な効果がある。
【００４６】
請求項６記載の電球用ソケットによれば、請求項５と同様な効果のほか、ボディの円筒形側壁のうち取付部に面する部分とその裏側にあたる側面接触片に面する部分を互いに平行になるように形成したことにより、側面接触片を安定して受けることが出来る。しかも成形収縮時の寸法安定性が良い。
【００４７】
請求項７記載の電球用ソケットによれば、請求項５と同様な効果のほか、前記中心接触片には組立後の抜け止めとなる切起し片を形成し、ボディの略円筒形側壁のうち中心接触片に面する部分には例えばランプ挿入口から底部に向かって中心接触片の収納部付近まで延出した、切起し片よりも幅広のガイド溝を形成し、切起し片をガイド溝を通して組立することより、端子挿入時の位置決めが容易に行なえ、長い距離を挿入する際には過変形の防止ができる。
【００４８】
請求項８記載の電球用ソケットによれば、請求項５と同様な効果のほか、取付部、側面接触片、中心接触片をこの順番に略一列に配置すると共に、ボディの底部の中心接触片に近い位置に外方に向かって突出した回り止め用突起を配置したことにより、側面接触片の反発力により傾いた電球を強制的に手で真っ直ぐに修正しようとして押し付けた時、その力は取付部で受けるので強固な固定状態が維持できる。
【００４９】
請求項９記載の電球用ソケットによれば、請求項２と同様な効果のほか、速結端子の電線接続部の受口面側に連接し、鎖錠ばね部付近まで延出した折り曲げ部を設けたので夫々の端子を組込む場合、折曲げ部が押し込み治具の当接部位となり、治具化が容易にできる。
【００５０】
請求項１０記載の電球用ソケットによれば、請求項９と同様な効果のほか、鎖錠ばね部が略円筒ボディの中心線側に配置され、折り曲げ部が略円筒部壁面側から中心線側に延出するように形成したので端子収納部がコンパクトに仕上がる。
【００５１】
請求項１１記載の照明器具によれば、請求項１、請求項２、請求項３、請求項４、請求項５、請求項６、請求項７、請求項８、請求項９または請求項１０と同様な効果がある。
【図面の簡単な説明】
【図１】この発明の第１の実施の形態の電球用ソケットであり、（ａ）は平面図、（ｂ）は右側面図、（ｃ）は左側面図、（ｄ）は正面図である。
【図２】電球用ソケットの拡大平面図である。
【図３】電球用ソケットの断面図である。
【図４】第２の導電部材を示し、（ａ）は正面図、（ｂ）は側面図、（ｃ）は平面図である。。
【図５】第１の導電部材を示し、（ａ）は正面図、（ｂ）は平面図、（ｃ）は側面図である。。
【図６】ボディの平面図である。
【図７】端子の位置決め状態を示すボディの平面図である。
【図８】その電線を挿入した状態の平面図である。
【図９】第２の実施の形態の電線を挿入した状態の平面図である。
【図１０】第３の実施の形態の電球用ソケットの平面図である。
【図１１】電球がボディに対して傾いた状態を示す説明図である。
【図１２】ボディが取付板に対して傾いた状態を示す説明図である。
【図１３】電球がボディに対して傾き、ボディが取付板に対して傾いた状態を示す説明図である。
【符号の説明】
１    ボディ
２    ランプ挿入口
３    取付部
４    電線挿入口
５    電線挿入口
７    側面接触片
８    中心接触片
９    電線接続端子
１０    電線接続端子
１１    第２の導電部材
１２    第１の導電部材
１３    電線接続部
１４    電線挿入穴部
１５    ばね支持部
１６    鎖錠ばね部
１７    絶縁壁
１８    第１壁
１９    第２壁
２１    第３壁
２２    第４壁
２３    第５壁
２７    回り止め用突起
３１    受け部
３２    位置決め部
３３    折曲げ部
３４    ガイド溝
３５    係止部
３６    切起こし片
３８    取付板
４１    平面部
４２    平面部
４５    電球
【図１】
2004253322.tif 000003
【図２】
2004253322.tif 000004
【図３】
2004253322.tif 000005
【図４】
2004253322.tif 000006
【図５】
2004253322.tif 000007
【図６】
2004253322.tif 000008
【図７】
2004253322.tif 000009
【図８】
2004253322.tif 000010
【図９】
2004253322.tif 000011
【図１０】
2004253322.tif 000012
【図１１】
2004253322.tif 000013
【図１２】
2004253322.tif 000014
【図１３】
2004253322.tif 000015